(57)【要約】  電動機及びファンを備えた送風機部と、送風機部を支える支柱部と、支柱部を支持する台座部とを備えた扇風機であって、台座部は、タクトスイッチ（５）が実装された回路基板（４）と、回路基板（４）を収納するケーシング（２）と、エンボス部（１ａ）を備え、ケーシング（２）の上面に接着されたシート材（１）と、エンボス部（１ａ）の上面に固定されたキーボタン（３）と、を有し、タクトスイッチ（５）は、押圧部（５ａ）がエンボス部（１ａ）及びキーボタン（３）の下方に配置されており、キーボタン（３）は、タクトスイッチ（５）が動作するまで押圧部（５ａ）を押し下げ可能であり、エンボス部（１ａ）は、押し下げられたキーボタン（３）を元の位置に押し上げる弾性を備える。
2017168710.tif 000002
【特許請求の範囲】
【請求項１】
電動機及びファンを備えた送風機部と、該送風機部を支える支柱部と、該支柱部を支持する台座部とを備えた扇風機であって、
前記台座部は、タクトスイッチが実装された回路基板と、
前記回路基板を収納するケーシングと、
エンボス部を備え、前記ケーシングの上面に接着されたシート材と、
前記エンボス部の上面に固定されたキーボタンと、を有し、
前記タクトスイッチは、押圧部が前記エンボス部及び前記キーボタンの下方に配置されており、
前記キーボタンは、前記タクトスイッチが動作するまで前記押圧部を押し下げ可能であり、
前記エンボス部は、押し下げられた前記キーボタンを元の位置に押し上げる弾性を備えることを特徴とする扇風機。
【請求項２】
前記キーボタンは、下面にボス部を備え、
前記エンボス部は、前記ボス部が貫通する貫通孔を備え、
前記ケーシングは、前記ボス部がストローク動作可能に挿入される筒部を備えることを特徴とする請求項１に記載の扇風機。
【請求項３】
前記キーボタンを複数有し、
複数の前記キーボタンは、各々が下面に凸部を備え、
前記ケーシングは、複数の前記キーボタンの前記凸部に対応した複数の凹部を備え、
前記シート材は、前記凸部が貫通する貫通孔を備え、
前記凸部及び前記凹部の形状は、対応するもの同士のみが嵌合可能な形状であることを特徴とする請求項２に記載の扇風機。
【請求項４】
前記キーボタンを複数有し、
複数の前記キーボタンは、各々が下面に凹部を備え、
前記ケーシングは、複数の前記キーボタンの前記凹部に対応した複数の凸部を備え、
前記シート材は、前記凸部が貫通する貫通孔を備え、
前記凸部及び前記凹部の形状は、対応するもの同士のみが嵌合可能な形状であることを特徴とする請求項２に記載の扇風機。
【請求項５】
前記ケーシングと装飾シートとの間に、前記装飾シートを支持するスペーサを有することを特徴とする請求項１に記載の扇風機。
【請求項６】
前記スペーサは、前記キーボタンに表示されるアイコンマークと同じアイコンマークを備えることを特徴とする請求項５に記載の扇風機。
【請求項７】
前記ケーシングは、前記キーボタンの下方の部分に、前記キーボタンの外形よりも大きい凹部が設けられていることを特徴とする請求項１に記載の扇風機。
【請求項８】
前記ケーシングは、前記キーボタンの下方の部分に、前記タクトスイッチが動作するまで前記キーボタンが前記押圧部を押した後で当接する当接部を備えることを特徴とする請求項７に記載の扇風機。
【発明の詳細な説明】
【技術分野】
【０００１】
本発明は、回路基板を収納するケーシングに操作ボタンを備える扇風機に関する。
【背景技術】
【０００２】
従来から、より高機能で、誰にでも使いやすく、高い意匠性を備えた高付加価値の扇風機が求められている。扇風機には、高い信頼性も求められている。ユーザが直接触れるとともに、目に付きやすい操作ボタン部は、意匠性を高める上で重要な部位となる。【０００３】
操作ボタン部は、高機能化に伴いボタン数が増加する傾向にあり、使いやすさを高めるためにキーボタンの採用が求められる。【０００４】
特許文献１には、ケーシングと一体に成型されたスイッチボスにキーボタンを挿入し、キーボタンを押すと薄肉部に支持されたスイッチボスが支点を中心にたわみタクトスイッチを押す構造の扇風機が開示されている。
【先行技術文献】
【特許文献】
【０００５】
【特許文献１】特許第５４５２２９５号公報
【発明の概要】
【発明が解決しようとする課題】
【０００６】
しかしながら、上記従来の技術によれば、支点を中心に薄肉部がたわむので、押し動作に伴い支点を中心にスイッチボス及びキーボタンに傾きが生じ、見た目が悪くなる。また、薄肉部はたわむように薄く成型する必要があるため、成型後に変形を生じやすく、操作をしない状態でもキーボタンが傾きやすい。【０００７】
本発明は、上記に鑑みてなされたものであって、キーボタンの傾きを防止した扇風機を得ることを目的とする。
【課題を解決するための手段】
【０００８】
上述した課題を解決し、目的を達成するために、本発明は、電動機及びファンを備えた送風機部と、送風機部を支える支柱部と、支柱部を支持する台座部とを備えた扇風機であって、台座部は、タクトスイッチが実装された回路基板と、回路基板を収納するケーシングと、エンボス部を備え、ケーシングの上面に接着されたシート材と、エンボス部の上面に固定されたキーボタンと、を有する。タクトスイッチは、押圧部がエンボス部及びキーボタンの下方に配置されており、キーボタンは、タクトスイッチが動作するまで押圧部を押し下げ可能である。エンボス部は、押し下げられたキーボタンを元の位置に押し上げる弾性を備える。
【発明の効果】
【０００９】
本発明に係る扇風機は、キーボタンの傾きを防止できるという効果を奏する。
【図面の簡単な説明】
【００１０】
【図１】本発明の実施の形態１に係る扇風機の斜視図
【図２】実施の形態１に係る扇風機の台座部の分解斜視図
【図３】実施の形態１に係る扇風機のキーボタンを含む断面を示す図
【図４】実施の形態１に係る扇風機のキーボタンの平面図
【図５】実施の形態１に係る扇風機のスペーサの平面図
【図６】本発明の実施の形態２に係る扇風機の台座部の分解斜視図
【図７】実施の形態２に係る扇風機のシート材の斜視図
【図８】実施の形態２に係る扇風機の台座部の操作部の部分における断面図
【図９】実施の形態２に係る扇風機のキーボタンの底面図
【図１０】実施の形態２に係る扇風機のケーシングの上面図
【図１１】実施の形態２に係る扇風機のキーボタンの側面図
【図１２】本発明の実施の形態３に係る扇風機の台座部の操作部の部分における断面図
【図１３】実施の形態３に係る扇風機のキーボタン操作時の台座部の断面図
【図１４】実施の形態３に係る扇風機のキーボタン操作時の台座部の断面図
【発明を実施するための形態】
【００１１】
以下に、本発明の実施の形態に係る扇風機を図面に基づいて詳細に説明する。なお、この実施の形態によりこの発明が限定されるものではない。
【００１２】
実施の形態１．
図１は、本発明の実施の形態１に係る扇風機の斜視図である。実施の形態１に係る扇風機は、電動機及びファンを備えた送風機部１００と、送風機部１００を支える支柱部１０１と、支柱部１０１を支持する台座部１０２とを有する。台座部１０２には、キーボタン３を備えた操作部１０３が設けられている。
【００１３】
図２は、実施の形態１に係る扇風機の台座部の分解斜視図である。図３は、実施の形態１に係る扇風機のキーボタンを含む断面を示す図である。台座部１０２は、ユーザ操作を受け付けるタクトスイッチ５が実装され、送風機部１００を制御する回路基板４と、回路基板４を収容するケーシング２と、ケーシング２の底面を覆う底板８とを有する。また、台座部１０２は、ケーシング２の上面の操作部１０３の部分に貼り付けられたシート材１と、シート材１の上面に貼り付けられたスペーサ６と、ユーザ操作をタクトスイッチ５の押圧部５ａに伝えるキーボタン３と、ケーシング２及びスペーサ６の上面を覆う装飾シート７とを有する。装飾シート７は、ケーシング２及びスペーサ６に貼り付けられている。
【００１４】
回路基板４には、設定内容及び送風機部１００の動作状態及びを表示する表示部４ａが実装されている。実施の形態１では、表示部４ａにはＬＥＤ（Light  Emitting  Diode）ランプが適用されているが、表示部４ａは、ＬＥＤランプに限定されない。すなわち、表示部４ａに液晶表示装置又は有機ＥＬディスプレイ（organic  electroluminescence  display）を適用しても良い。表示部４ａは、ケーシング２を貫通する貫通孔２ｈを通じて、ケーシング２の外部から視認可能となっている。
【００１５】
シート材１は、防水性を有する材料で形成されている。シート材１は、タクトスイッチ５の押圧部５ａに対応する位置にエンボス部１ａが設けられている。キーボタン３は、シート材１のエンボス部１ａに固定されている。キーボタン３をエンボス部１ａに固定する方法には、接着、溶着、機械的嵌合又は両面テープによる貼り付けといった方法を適用できるが、これらの方法に限定されない。キーボタン３の外周部には、装飾シート７の貫通孔７ａを貫通しない大きさのフランジ部３ａが設けられている。ケーシング２の上面には、第１の窪み２ａが形成されている。第１の窪み２ａには、タクトスイッチ５の押圧部５ａに対応する位置に貫通孔２ｂが設けられている。スペーサ６は、タクトスイッチ５の押圧部５ａに対応する位置に、キーボタン３が貫通する貫通孔６ａが設けられている。スペーサ６の厚さ寸法は、第１の窪み２ａの深さ寸法とシート材１の厚さ寸法との和に概ね等しい。スペーサ６の外形は、ケーシング２の第１の窪み２ａの外形と同じである。スペーサ６は、ケーシング２の第１の窪み２ａ内に配置される。装飾シート７は、タクトスイッチ５の押圧部５ａに対応する位置にキーボタン３のフランジ部３ａが貫通しない貫通孔７ａが設けられている。フランジ部３ａの上面は、装飾シート７には接着されていないため、キーボタン３は装飾シート７に拘束されることなく押し下げることが可能である。
【００１６】
回路基板４は、ねじ２０でケーシング２のねじボス２ｃに固定されている。
【００１７】
図４は、実施の形態１に係る扇風機のキーボタンの平面図である。キーボタン３には、操作機能を示すアイコンマーク３ｄが設けられている。アイコンマーク３ｄは、印刷又は刻印によってキーボタン３に形成されている。
【００１８】
図５は、実施の形態１に係る扇風機のスペーサの平面図である。スペーサ６は、貫通孔６ａの縁にアイコンマーク６ｂが設けられている。アイコンマーク６ｂは、貫通孔６ａを貫通するキーボタン３に設けられたアイコンマーク３ｄと同じ模様である。
【００１９】
キーボタン３を押下すると、タクトスイッチ５の押圧部５ａが押され、回路基板４は、機能を切り替える。キーボタン３を押下する力を解除すると、シート材１のエンボス部１ａの反発によってキーボタン３は、元の位置に復帰する。すなわち、エンボス部１ａは、押し下げられたキーボタン３を元の位置に押し上げる弾性を備える。
【００２０】
実施の形態１に係る扇風機は、キーボタン３はエンボス部１ａの上面に固定されているため、操作時にキーボタン３が傾くことがなく、意匠性が損なわれることを防止できる。また、ケーシング２に薄肉部分を設ける必要がないため、製造時に変形が生じず、操作しない状態でのキーボタン３の傾きを防止でき、意匠性が損なわれることを防止できる。
【００２１】
また、実施の形態１に係る扇風機は、防水性を有するシート材１を用いているため、水の侵入を防止し、信頼性を高めることができる。また、ケーシング２に薄肉部分を設ける必要がないため、構造が単純であり、製品製造コストの高騰を抑えることができる。さらに、シート材１に孔が開いていないため、キーボタン３の部分からの埃の侵入も防止できる。
【００２２】
また、ケーシング２と装飾シート７との間にスペーサ６を設置することにより、装飾シート７がスペーサ６で支持される。したがって、キーボタン３の周辺部の装飾シート７を押下しても、装飾シート７が凹むことがない。
【００２３】
さらに、キーボタン３にアイコンマーク３ｄが設けられているため、製造時にキーボタン３を誤った貫通孔６ａに配置してしまうことが防止される。
【００２４】
また、キーボタン３のフランジ部３ａが装飾シート７に覆われるため、貫通孔７ａから埃が侵入することを防止できるとともに、キーボタン３の周りの隙間を隠して意匠性を高めることができる。
【００２５】
実施の形態２．
図６は、本発明の実施の形態２に係る扇風機の台座部の分解斜視図である。図７は、実施の形態２に係る扇風機のシート材の斜視図である。図８は、実施の形態２に係る扇風機の台座部の操作部の部分における断面図である。実施の形態２に係る扇風機は、シート材１のエンボス部１ａに貫通孔１ｂが設けられている。キーボタン３には貫通孔１ｂを貫通するボス部３ｂが設けられている。キーボタン３のボス部３ｂは、先端部が回路基板４に設けられたタクトスイッチ５の押圧部５ａに当接する位置にある。キーボタン３には、更に凸部３ｃが設けられている。凸部３ｃは、ボス部３ｂと同様に貫通孔１ｂを貫通する。ケーシング２の第１の窪み２ａには、ボス部３ｂが貫通する筒部２ｄが設けられている。
【００２６】
図９は、実施の形態２に係る扇風機のキーボタンの底面図である。図１０は、実施の形態２に係る扇風機のケーシングの上面図である。図１１は、実施の形態２に係る扇風機のキーボタンの側面図である。ケーシング２には、凸部３ｃと嵌合する形状の凹部２ｅが設けられている。凸部３ｃ及び凹部２ｅは、対となるもの同士のみが嵌まり合う形状に形成されている。
【００２７】
なお、ここではキーボタン３に凸部３ｃを設け、ケーシング２に凹部２ｅ設けているが、キーボタン３に凹部を設け、ケーシング２に凸部を設けても良い。
【００２８】
上記の部分以外については実施の形態１と同様である。
【００２９】
キーボタン３を押下すると、タクトスイッチ５の押圧部５ａがボス部３ｂによって押される。押圧部５ａが押されたことを検出した回路基板４は、押された押圧部５ａに対応して機能を切り替える制御を行う。キーボタン３を押下する力を解除すると、シート材１のエンボス部１ａの反発によってキーボタン３は、元の位置に戻る。
【００３０】
実施の形態２に係る扇風機は、エンボス部１ａの上面が傾いた場合でも、キーボタン３は、ボス部３ｂがケーシング２の筒部２ｄを貫通した状態でストロークする。したがって、エンボス部１ａの上面が傾いていても、キーボタン３の傾きは矯正される。また、回路基板４に搭載される電子部品の大きさの変化によりケーシング２と回路基板４との間隔が変わった場合でも、キーボタン３のボス部３ｂの長さを変えることで、キーボタン３とタクトスイッチ５の押圧部５ａとの接触を確保でき、幅広い製品設計が可能となる。また、キーボタン３は、凸部３ｃの形状と一致する形状の凹部２ｅにしか挿入できないため、誤った位置にキーボタン３が設置されることを物理的に防止でき、ヒューマンエラーによる製造不良の発生を防止できる。
【００３１】
実施の形態３．
図１２は、本発明の実施の形態３に係る扇風機の台座部の操作部の部分における断面図である。実施の形態３では、ケーシング２のキーボタン３の下となる部分に、エンボス部１ａの根元部と概ね同じ大きさの第２の窪み２ｆが設けられている。キーボタン３の外形は、第２の窪み２ｆよりも小さくなっている。
【００３２】
また、ケーシング２のキーボタン３の下となる部分には、タクトスイッチ５が作動するまでキーボタン３が押圧部５ａを押下した後でキーボタン３が当接する当接部２ｇが設けられている。
【００３３】
図１３及び図１４は、実施の形態３に係る扇風機のキーボタン操作時の台座部の断面図である。キーボタン３を押すと、図１３に示すように、エンボス部１ａの上面がケーシング２のシート材１を貼り付けた面と同じ高さとなる。さらにキーボタン３を押すと、図１４に示すように、エンボス部１ａが反転して下に凸となり、キーボタン３はエンボス部１ａを介して当接部２ｇに当接する。キーボタン３が当接部２ｇに当接すると、キーボタン３は、それ以上は下がらなくなる。
【００３４】
実施の形態３においては、キーボタン３の動作ストロークをエンボス部１ａの高さ以上にすることができるため、エンボス部１ａの高さを抑えて耐久性を高めることができる。また、キーボタン３のストロークを長くとることにより、設計の自由度を高めることができる。また、ユーザがキーボタン３を強く押下した場合でも、タクトスイッチ５及び回路基板４に強い力が加わることを防止でき、タクトスイッチ５及び回路基板４の破損を防止できる。
【００３５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３６】
１  シート材、１ａ  エンボス部、１ｂ，２ｂ，２ｈ，６ａ，７ａ  貫通孔、２  ケーシング、２ａ  第１の窪み、２ｃ  ねじボス、２ｄ  筒部、２ｅ  凹部、２ｆ  第２の窪み、２ｇ  当接部、３  キーボタン、３ａ  フランジ部、３ｂ  ボス部、３ｃ  凸部、３ｄ，６ｂ  アイコンマーク、４  回路基板、５  タクトスイッチ、５ａ  押圧部、６  スペーサ、７  装飾シート、８  底板、２０  ねじ、１００  送風機部、１０１  支柱部、１０２  台座部。
【図１】
2017168710.tif 000003
【図２】
2017168710.tif 000004
【図３】
2017168710.tif 000005
【図４】
2017168710.tif 000006
【図５】
2017168710.tif 000007
【図６】
2017168710.tif 000008
【図７】
2017168710.tif 000009
【図８】
2017168710.tif 000010
【図９】
2017168710.tif 000011
【図１０】
2017168710.tif 000012
【図１１】
2017168710.tif 000013
【図１２】
2017168710.tif 000014
【図１３】
2017168710.tif 000015
【図１４】
2017168710.tif 000016
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
電動機及びファンを備えた送風機部と、該送風機部を支える支柱部と、該支柱部を支持する台座部とを備えた扇風機であって、
前記台座部は、タクトスイッチが実装された回路基板と、
前記回路基板を収納するケーシングと、
エンボス部を備え、前記ケーシングの上面に接着されたシート材と、
前記エンボス部の上面に固定された複数のキーボタンと、を有し、
前記タクトスイッチは、押圧部が前記エンボス部及び前記キーボタンの下方に配置されており、
複数の前記キーボタンは、各々が下面にボス部及び凸部を備え、前記タクトスイッチが動作するまで前記押圧部を押し下げ可能であり、
前記エンボス部は、押し下げられた前記キーボタンを元の位置に押し上げる弾性を備え、前記ボス部が貫通する貫通孔が形成されており、
前記ケーシングは、前記ボス部がストローク動作可能に挿入される筒部と、複数の前記キーボタンの前記凸部に対応した複数の凹部とを備え、
前記シート材は、前記凸部が貫通する貫通孔を備え、
前記凸部及び前記凹部の形状は、対応するもの同士のみが嵌合可能な形状であることを特徴とする扇風機。
【請求項２】
前記キーボタンを複数有し、
複数の前記キーボタンは、各々が下面に凹部を備え、
前記ケーシングは、複数の前記キーボタンの前記凹部に対応した複数の凸部を備え、
前記シート材は、前記凸部が貫通する貫通孔を備え、
前記凸部及び前記凹部の形状は、対応するもの同士のみが嵌合可能な形状であることを特徴とする請求項１に記載の扇風機。
【請求項３】
前記ケーシングと装飾シートとの間に、前記装飾シートを支持するスペーサを有することを特徴とする請求項１に記載の扇風機。
【請求項４】
前記スペーサは、前記キーボタンに表示されるアイコンマークと同じアイコンマークを備えることを特徴とする請求項３に記載の扇風機。
【請求項５】
前記ケーシングは、前記キーボタンの下方の部分に、前記キーボタンの外形よりも大きい凹部が設けられていることを特徴とする請求項１に記載の扇風機。
【請求項６】
前記ケーシングは、前記キーボタンの下方の部分に、前記タクトスイッチが動作するまで前記キーボタンが前記押圧部を押した後で当接する当接部を備えることを特徴とする請求項５に記載の扇風機。
【手続補正２】
【補正対象書類名】明細書
【補正対象項目名】００１４
【補正方法】変更
【補正の内容】
【００１４】
回路基板４には、設定内容及び送風機部１００の動作状態を表示する表示部４ａが実装されている。実施の形態１では、表示部４ａにはＬＥＤ（Light  Emitting  Diode）ランプが適用されているが、表示部４ａは、ＬＥＤランプに限定されない。すなわち、表示部４ａに液晶表示装置又は有機ＥＬディスプレイ（organic  electroluminescence  display）を適用しても良い。表示部４ａは、ケーシング２を貫通する貫通孔２ｈを通じて、ケーシング２の外部から視認可能となっている。
【手続補正３】
【補正対象書類名】明細書
【補正対象項目名】００３６
【補正方法】変更
【補正の内容】
【００３６】
１  シート材、１ａ  エンボス部、１ｂ，２ｂ，２ｈ，６ａ，７ａ  貫通孔、２  ケーシング、２ａ  第１の窪み、２ｃ  ねじボス、２ｄ  筒部、２ｅ  凹部、２ｆ  第２の窪み、２ｇ  当接部、３  キーボタン、３ａ  フランジ部、３ｂ  ボス部、３ｃ  凸部、３ｄ，６ｂ  アイコンマーク、４  回路基板、４ａ  表示部、５  タクトスイッチ、５ａ  押圧部、６  スペーサ、７  装飾シート、８  底板、２０  ねじ、１００  送風機部、１０１  支柱部、１０２  台座部、１０３  操作部。
【国際調査報告】
2017168710.tif 000017
2017168710.tif 000018
2017168710.tif 000019
2017168710.tif 000020